(57)【要約】  本発明は、試料流体における少なくとも２つの異なる標的部分を区別して決定するためのセンサカートリッジ１０を提供する。このセンサカートリッジ１０は、反応室１並びに互いに別個である少なくとも第１及び第２の領域２、３を有する。第１の領域２は、第１の型の標的部分を特異的に結合するための第１の型のプローブで標識される磁気又は磁化可能な物体４ａを有し、第２の領域３は、第２の型の標的部分を特異的に結合するための第２の型のプローブで標識される磁気又は磁化可能な物体４ｂを有し、前記第１及び第２の領域２、３における前記磁気又は磁化可能な物体４ａ、４ｂは、前記試料流体により直接接触することが可能である。本発明は、上記センサ装置１０を製造する方法、並びに前記センサカートリッジ１０を用いて、試料流体における少なくとも２つの異なる標的部分の存在及び／又は量を決定するための方法も提供する。
2010540888.tif 000002
【特許請求の範囲】
【請求項１】
試料流体に存在している少なくとも２つの異なる標的部分の存在及び／又は量を決定するためのセンサカートリッジであり、
−前記試料流体を受け入れるための反応室、
−前記反応室に置かれる少なくとも第１の領域及び第２の領域であり、前記第２の領域は前記第１の領域とは別個であり、前記第１の領域は、第１の型の標的部分を特異的に結合するための第１の型のプローブで標識された磁気又は磁化可能な物体を有し、前記第２の領域は、第２の型の標的部分を特異的に結合するための第２の型のプローブで標識された磁気又は磁化可能な物体を有し、前記第１及び第２の領域にある前記磁気又は磁化可能な物体は、前記試料流体により直接接触することが可能である、前記反応室に置かれる少なくとも第１及び第２の領域、並びに
−磁気又は磁化可能な物体の存在を検知するための少なくとも１つのセンサ要素
を有するセンサカートリッジにおいて、
前記センサカートリッジは、前記少なくとも２つの異なる標的部分を区別して検出するのに適しているセンサカートリッジ。
【請求項２】
前記センサカートリッジは、前記反応室にある前記少なくとも第１及び第２の領域から標識された磁気又は磁化可能な物体を選択的に解放するための制御手段を有する請求項１に記載のセンサカートリッジ。
【請求項３】
前記制御手段は、磁場発生手段により形成される請求項２に記載のセンサカートリッジ。
【請求項４】
前記磁場発生手段は、少なくとも１つの電線により形成される請求項２に記載のカートリッジ。
【請求項５】
前記センサカートリッジは複数の領域を有し、制御手段は各領域に設けられている請求項２、３又は４に記載のセンサカートリッジ。
【請求項６】
前記少なくとも１つのセンサ要素は、前記反応室の第１の側面に置かれ、前記少なくとも第１及び第２の領域は、前記反応室の第２の側面に形成され、前記第２の側面は前記第１の側面の略反対側にある請求項２乃至５の何れか一項に記載のセンサカートリッジ。
【請求項７】
前記センサカートリッジは、多数の領域及び多数のセンサ要素を有し、前記領域の数は、前記センサ要素の数と異なる請求項２乃至６の何れか一項に記載のセンサカートリッジ。
【請求項８】
前記センサカートリッジは、多数の領域及び多数のセンサ要素を有し、前記領域の数は、前記センサ要素の数に等しい請求項２乃至６の何れか一項に記載のセンサカートリッジ。
【請求項９】
前記センサ要素は平面に横たわり、前記領域の各々は、夫々のセンサ要素との重複を示し、前記重複は、前記センサ要素の前記平面に略垂直な方向に前記領域を前記センサ要素へ投影することにより規定される請求項８に記載のセンサカートリッジ。
【請求項１０】
前記少なくとも１つのセンサ要素は、前記反応室の第１の側面に置かれ、前記少なくとも第１及び第２の領域は、前記反応室の第２の側面に形成され、前記第２の側面は、前記第１の側面に等しい請求項１乃至５の何れか一項に記載のセンサカートリッジ。
【請求項１１】
前記センサカートリッジは、少なくとも第１及び第２のセンサ要素を有し、前記第１の領域は、前記第１のセンサ要素上に形成され、前記第２の領域は、前記第２のセンサ要素上に形成される請求項１０に記載のセンサカートリッジ。
【請求項１２】
前記少なくとも第１及び第２の領域にある前記標識された磁気又は磁化可能な物体は凍結乾燥されている請求項１乃至１１の何れか一項に記載のセンサカートリッジ。
【請求項１３】
前記センサカートリッジは、使い捨てセンサカートリッジである請求項１乃至１２の何れか一項に記載のセンサカートリッジ。
【請求項１４】
前記使い捨てセンサカートリッジは、読み取り装置に挿入されるように適合し、前記読み取り装置は、前記使い捨てセンサカートリッジの異なる領域に置かれる磁気又は磁化可能な物体を、制御された方法で引き付ける及び解放するための磁場発生手段を有する請求項１３に記載のセンサカートリッジ。
【請求項１５】
前記磁場発生手段は、電磁コイルにより形成される請求項１４に記載のセンサカートリッジ。
【請求項１６】
分子診断、生体試料分析又は化学試料分析における請求項１乃至１５の何れか一項に記載のセンサカートリッジの使用。
【請求項１７】
唾液内の薬物乱用の存在を決めるための請求項１乃至１５の何れか一項に記載のセンサカートリッジの使用。
【請求項１８】
センサカートリッジを製造する方法において、
−試料流体を受け入れるための反応室を設けるステップ、
−前記反応室にある少なくとも第１の領域及び第２の領域を設けるステップ、
−第１の型の標的部分を特異的に結合するための第１の型のプローブで標識された磁気又は磁化可能な物体を前記第１の領域に供給し、第２の型の標的部分を特異的に結合するための第２の型のプローブで標識された磁気又は磁化可能な物体を前記第２の領域に供給するステップ、並びに
−前記磁気又は磁化可能な物体の存在を検知するための少なくとも１つのセンサ要素を供給するステップ、
を有する方法。
【請求項１９】
前記方法はさらに、前記反応室にある前記少なくとも第１及び第２の領域から標識された磁気又は磁化可能な物体を選択的に解放するための制御手段を設けるステップを有する請求項１８に記載の方法。
【請求項２０】
前記制御手段を設けるステップは、前記少なくとも第１及び第２の領域の各々に制御手段を設けるステップを有する請求項１９に記載の方法。
【請求項２１】
前記センサカートリッジは、平面に横たわっている少なくとも第１及び第２のセンサ要素を有し、前記反応室に少なくとも第１の領域及び第２の領域を設けるステップは、前記第１及び第２の領域が、前記第１及び第２のセンサ要素夫々との重複を示し、前記重複は、前記センサ要素の平面に略垂直な方向に前記第１及び第２の領域を前記センサ要素へ投影することにより規定される請求項１８、１９又は２０に記載の方法。
【請求項２２】
磁気又は磁化可能な物体を供給するステップは、凍結乾燥された磁気又は磁化可能な物体を供給することにより行われる請求項１８乃至２１の何れか一項に記載の方法。
【請求項２３】
試料流体における少なくとも２つの異なる標的部分の存在及び／又は量を決定するための方法において、
−前記試料流体を受け入れるための反応室、磁気又は磁化可能な物体の存在を検知するために、センサ基板に置かれる少なくとも１つのセンサ要素、並びに前記反応室に置かれる少なくとも第１の領域及び第２の領域を有するセンサカートリッジに、少なくとも２つの異なる標的部分を有する試料流体を供給するステップであり、前記第２の領域は前記第１の領域とは別個であり、前記第１の領域は、第１の型の標的部分を特異的に結合するための第１の型のプローブで標識された磁気又は磁化可能な物体を有し、前記第２の領域は、第２の型の標的部分を特異的に結合するための第２の型のプローブで標識された磁気又は磁化可能な物体を有し、前記第１及び第２の領域にある前記磁気又は磁化可能な物体は、前記試料流体により直接接触することが可能であるステップ、
−標識された磁気又は磁化可能な物体を前記少なくとも第１及び第２の領域から前記少なくとも１つのセンサ要素に選択的に供給するステップ、
−前記少なくとも１つのセンサ要素を用いてセンサ信号を測定するステップ、並びに
−前記測定されたセンサ信号から、前記センサ基板の表面に結合された少なくとも２つの異なる標的部分の存在及び／又は量を区別して決定するステップ、
を有する方法。
【請求項２４】
標識された磁気又は磁化可能な物体を前記少なくとも第１及び第２の領域から前記少なくとも１つのセンサ要素へ選択的に供給することは、標識された磁気又は磁化可能な物体を前記反応室にある前記少なくとも第１及び第２の領域から選択的に解放することにより得られる請求項２３に記載の方法。
【請求項２５】
前記センサカートリッジは、当該センサカートリッジがセンサ要素を有するのと同じ数の領域を有し、前記センサ要素は平面に横たわり、標識された磁気又は磁化可能な物体を前記少なくとも第１及び第２の領域から前記センサ要素へ選択式に供給することは、異なるセンサ要素と重複している各領域により得られ、前記重複は、前記センサ要素の前記平面に略垂直な方向に前記第１及び第２の領域を前記センサ要素へ投影することにより規定される請求項２３に記載の方法。
【請求項２６】
前記センサカートリッジは、磁気センサ要素を有し、前記方法はさらに、前記少なくとも１つのセンサ要素を用いてセンサ信号を測定する前に、前記標識された磁気又は磁化可能な物体を磁化するステップを有する請求項２３乃至２５の何れか一項に記載の方法。
【請求項２７】
分子診断、生体試料分析又は化学試料分析における請求項２３乃至２６の何れか一項に記載の方法の使用。
【発明の詳細な説明】
【技術分野】
【０００１】
本発明は、センサカートリッジ、例えば交換可能又は使い捨てカートリッジに関する。特に本発明は、試料流体における少なくとも２つの異なる標的部分を選択的に検出することができるセンサカートリッジに関する。本発明はさらに、上記センサカートリッジを製造するための方法、及び試料流体における少なくとも２つの標的部分の存在及び／又は量を決定するための方法にも関する。本発明の実施例による装置及び方法は、分子診断、生体試料分析又は化学試料分析に使用されることができる。
【背景技術】
【０００２】
異方性磁気抵抗（ＡＭＲ）、巨大磁気抵抗（ＧＭＲ）及びトンネル磁気抵抗（ＴＭＲ）素子又はホールセンサに基づく磁気センサは近頃では重要度が増している。例えば磁気ハードディスクのヘッド及びＭＲＡＭのような既知の高速度応用に加え、新しく比較的低い帯域幅応用が分子診断の分野（ＭＤｘ）、ＩＣにおける電流検知、自動車等に現れている。
【０００３】
上記磁気センサを有するマイクロアレイ又はバイオチップの導入は、例えばデオキシリボ核酸（ＤＮＡ）、リボ核酸（ＲＮＡ）及びタンパク質のような生体分子の分析を革命的に変えてしまう。これら応用は、例えば（病院において又は個々の医師若しくは看護師による）人間の遺伝子型判定、細菌学的スクリーニング、生物学的及び薬理学的研究である。このような磁気バイオチップは、感度、特異性、統合、使いやすさ及び費用に関して、例えば生物学的又は化学的な試料分析に有望な特徴を有する。
【０００４】
バイオセンサチップ、生物学的マイクロチップ、ジーンチップ(gene-chip)又はＤＮＡチップとも呼ばれるバイオチップは、前記チップ上のはっきり定義された領域上において、その上に多数の異なるプローブ分子が取り付けられている基板の最も簡単な形式であり、分析されるべき分子又は分子の断片が完全に合致した場合、これら分子又は分子の断片は前記基板に結合することができる。例えば、ＤＮＡ分子の断片は、１つの固有の相補的ＤＮＡ（ｃ−ＤＮＡ）分子の断片に結合する。結合反応の発生は、これら分子が前記プローブ分子に結合する前か又は後のどちらかにおいて、分析されるべき分子に結合されるマーカー、例えば蛍光マーカー又は磁気標識を用いることにより検出されることができる。これは、短い時間で多数の異なる分子又は分子の断片の少ない量を並行して分析する能力を提供する。
【０００５】
バイオセンサに関して検定(assay)が行われる。検定は一般に幾つかの流体作動ステップ、すなわち材料を移動させるステップを含んでいる。上記ステップの例は、（例えば希釈するため、標識若しくは他の試薬を試料流体に溶解させるため、標識するため又は親和性結合するために）混合すること、又は拡散が前記反応に対する律速となることを避けるために、反応面の近くの流体をリフレッシュすることである。好ましくは、前記作動方法は、効果的、信頼性のある及び安価であるべきである。
【０００６】
１つのバイオチップは、１０００又はそれ以上の異なる分子の断片に対する検定を維持することができる。バイオチップの使用により利用可能となり得る情報の有用性は、例えばヒトゲノム計画のような計画、並びに遺伝子及びタンパク質の機能に関する追跡調査の結果として、今後１０年間に急速に増大すると予想される。
【０００７】
例えば超常磁性ビーズの検出に基づく例えば１００個のセンサのアレイから成るバイオセンサは、溶液（例えば血液）における多数の異なる生体分子（例えばタンパク質、ＤＮＡ）の濃度を同時に測定するのに使用されてもよい。これは、決められるべき標的分子に超常磁性ビーズを取り付け、印加される磁場を用いてこのビーズを磁化する、及び例えばＧＭＲセンサを用いて、前記磁化したビーズの磁場を検出することにより達成される。
【０００８】
図９は、従来技術として現在知られるような、集積磁場の励起を用いた磁気抵抗バイオセンサ構造の動作原理を説明する。磁気バイオセンサは、約１００μｍの長さ及び約３μｍの幅を持つ単一のＧＭＲストリップ２１を有する。集積磁場の励起の場合、磁場発生手段は前記磁気抵抗センサ２０に組み込まれることを意味している。この磁気抵抗センサ２０はさらに、この磁場発生手段を形成する電線２２を有する。この磁気抵抗センサ２０の表面２３において、例えば磁性ナノ粒子２６に取り付けられる標的分子２５が結合可能である結合部位２４が設けられている。電線２２を流れる電流は、前記磁性ナノ粒子２６を磁化させる磁場２９を生じさせる。この磁性ナノ粒子２６が磁気モーメントｍを生じさせる。この磁気モーメントｍは次いで、図９において磁力線２７で示されるドップラー磁場を生じさせる。従って、前記磁性ナノ粒子２６は、電線２２を流れる電流により誘導される磁場２９を偏向させ、磁場のｘ成分Ｈｅｘｔとも呼ばれる、（図９において参照番号２８で示される）ＧＭＲストリップ２１の感度ｘ方向に磁場成分が生じる。この磁場のｘ成分Ｈｅｘｔは次いで、ＧＭＲストリップ２１により検知され、前記磁気抵抗センサ２０の前記表面２３に存在している磁性ナノ粒子の数Ｎｎｐに依存すると共に、前記電線２２の電流の大きさにも依存している。
【０００９】
例えば違法薬物のような標的分子は一般に１つの捕捉分子（抗体）だけを結合することが可能である小さな分子である。この理由のために、抑制又は競合検定の方式が用いられる。可能な検定が幾つか存在している。第１の型の検定において、標的同族分子がセンサ表面上に存在している。これら標的同族分子は、磁性ビーズ上に存在している捕捉分子に結合するために、試料流体において検出されるべき前記標的分子と競合する。第２の型の検定において、前記磁性ビーズは、標的同族体(target homologue)で被覆又は標識され、この標識ビーズは、前記センサ表面上に存在している捕捉分子（抗体）に結合するために、試料流体において検出されるべき前記標的分子と競合する。例えば５個の異なる標的分子を検出することを可能にするために、５個の異なる捕捉分子は、使用される検定の方式に依存して、磁性ビーズ上又はセンサ表面上に存在する必要がある。その上、５個の異なる標的同族体は、使用される検定の方式に再び依存して、前記センサ表面上又は前記磁性ビーズ上に存在する必要がある。小さな標的分子にとって、受容体−リガンド結合による他の分子への結合（例えば抗体への結合）は一般的にそんなに特異的ではない。結果として、交差反応が生じる、言い換えるとＡ型の結合分子で被覆又は標識された磁性ビーズがＢ型の標的同族体に結合することがある。例えば、抗アヘン(anti OPI)抗体を持つ磁性ビーズをアヘン同族体（BSA-OPI複合体）で被覆された少なくとも１つのセンサ、及び例えば大麻同族体(BSA-THC複合体)で被覆された１つのセンサを持つセンサアレイに加えることは、ＢＳＡ−ＯＰＩで被覆された前記センサに対し大きなセンサ出力を示すが、ＢＳＡ−ＴＨＣで被覆された前記センサに対してもかなりの出力信号を示すことが示されている。この信号は、アヘン同族体で被覆されたセンサに関する特異的な信号の５％から１０％までである。
【発明の概要】
【発明が解決しようとする課題】
【００１０】
交差反応の量を最小にするために、前記検定が調整されてもよい。これは、抗体及び／又は標的部分の正しい組み合わせを選択すること、並びにインキュベーションが起こっている緩衝液を最適にすることにより行われる。しかしながら、この最適化は、実行するのが難しく、並びに多くの時間及び別の検定に関し多くの知識を必要とする退屈な処理である。
【課題を解決するための手段】
【００１１】
本発明の実施例の目的は、良好なセンサカートリッジ、このようなセンサカートリッジを製造する方法、並びに同じ試料流体に存在している少なくとも２つの異なる標的部分を検出及び／又は定量化する方法を提供することである。
【００１２】
上記目的は、本発明による方法及び装置により達成される。
【００１３】
本発明の実施例によるセンサカートリッジは、交換可能又は使い捨てカートリッジとすることができる。本発明の実施例によるセンサカートリッジは、前記異なる標的部分と、結果生じるセンサ信号に悪影響を与える、センサ基板表面に存在している異なる標的同族体とが殆ど交差反応することなく、同じ試料流体における少なくとも２つの異なる標的部分の存在を検出すること及び／又はその量を決定することを可能にする。故に、本発明の実施例による装置及び方法は、減少した交差反応を示す。
【００１４】
本発明の実施例によるセンサカートリッジは、良好な感度を示すと共に、信頼性があり、効果的である。
【００１５】
本発明の実施例によるセンサカートリッジ及び方法は、分子診断、生体試料分析又は化学試料分析に使用されてもよい。
【００１６】
本発明の特に及び好ましい態様は、付随している独立及び従属請求項に示されている。これら従属請求項による特徴は、必要に応じて独立請求項の特徴及び他の従属請求項の特徴と組み合わされてよく、単に請求項に明示しただけである。
【００１７】
本発明の第１の態様において、試料流体に存在している少なくとも２つの異なる標的部分の存在及び／又は量を決定するセンサカートリッジが提供される。このセンサカートリッジは、
−前記試料流体を受け入れるための反応室、
−前記反応室に置かれる少なくとも第１の領域及び第２の領域であり、前記第２の領域は前記第１の領域とは別個であり、前記第１の領域は、第１の型の標的部分を特異的に結合するための第１の型のプローブで標識された磁気又は磁化可能な物体を有し、前記第２の領域は、第２の型の標的部分と特異的に結合するための第２の型のプローブで標識された磁気又は磁化可能な物体を有し、前記第１及び第２の領域にある前記磁気又は磁化可能な物体は、前記試料流体により直接接触することが可能である、前記反応室に置かれる少なくとも第１の領域及び第２の領域、並びに
−磁気又は磁化可能な物体の存在を検知するための少なくとも１つのセンサ要素、
を有し、前記センサカートリッジは、前記少なくとも２つの異なる標的部分を区別して検出するのに適する。
【００１８】
本発明の実施例によるセンサカートリッジの利点は、このセンサカートリッジが前記センサ信号を妨害する交差反応から生じる信号を無しに、試料流体に存在している異なる標的部分を同時に検出するのに使用されることである。
【００１９】
前記センサカートリッジは、反応室にある少なくとも第１及び第２の領域から標識された磁気又は磁化可能な物体を選択的に解放するための制御手段を有する。好ましくは、前記制御手段は、磁場発生手段により形成され、例えば少なくとも１つの電線により形成されてもよい。前記制御手段を慎重に操縦することにより、前記磁気又は磁化可能な物体は、前記第１及び第２の領域から制御可能に且つ選択的に解放され、従って交差反応が起こる可能性は減少する。
【００２０】
本発明の実施例によれば、前記センサカートリッジは複数の領域を有し、制御手段は各領域に設けられている。
【００２１】
少なくとも１つのセンサ要素は、前記反応室の第１の側面に置かれ、磁気又は磁化可能な物体を有する少なくとも第１及び第２の領域は、この反応室の第２の側面に形成され、この第２の側面は好ましくは前記第１の側面の略反対側にある。
【００２２】
前記センサカートリッジは、磁気又は磁化可能な物体を有する多数の領域及び多数のセンサ要素を有する。本発明の実施例に従って、前記領域の数は、前記センサ要素の数とは異なる。しかしながら、本発明の他の実施例に従って、前記領域の数が前記センサ要素の数と等しくてもよい。
【００２３】
実施例によれば、前記センサ要素は平面に横たわり、磁気又は磁化可能な物体を有する前記領域の各々は、夫々のセンサ要素との重複を示し、この重複は、センサ要素の平面に略垂直な方向に前記領域を前記センサ要素へ投影することにより規定される。
【００２４】
さらに他の実施例によれば、前記少なくとも１つのセンサ要素は、反応室の第１の側面に置かれ、前記少なくとも第１及び第２の領域は、前記反応室の第２の側面に形成され、この第２の側面は、第１の側面に等しい。
【００２５】
前記センサカートリッジは、少なくとも第１及び第２のセンサ要素を有する。磁気又は磁化可能な物体を有する第１の領域は、前記第１のセンサ要素の上に形成され、磁気又は磁化可能な物体を有する第２の領域は、前記第２のセンサ要素の上に形成される。
【００２６】
本発明の実施例によれば、前記少なくとも第１及び第２の領域にある前記標識された磁気又は磁化可能な物体は凍結乾燥されてもよい。
【００２７】
本発明の実施例によるセンサカートリッジにおいて、前記少なくとも１つのセンサ要素は、センサ基板上に置かれ、前記センサカートリッジはさらに、前記センサ基板の表面に前記標識された磁気及び磁化可能な物体を引き付ける及び／又は結合するための磁場発生手段を有する。前記磁場発生手段はコイルにより形成される。
【００２８】
本発明の実施例によれば、前記センサカートリッジは使い捨てセンサカートリッジでもよい。
【００２９】
この使い捨てカートリッジは、読み取り装置に挿入されるように適合する。この読み取り装置は、前記使い捨てセンサカートリッジの異なる領域に置かれる磁気又は磁化可能な物体を、制御された方法で引き付ける及び解放するための磁場発生手段を有する。この磁場発生手段は電磁コイルにより形成される。
【００３０】
他の態様において、本発明は、分子診断、生体試料分析又は化学試料分析における本発明の実施例に従うセンサカートリッジの使用を提供する。
【００３１】
本発明はさらに、唾液内に乱用薬物の存在を決めるための本発明の実施例に従うセンサカートリッジの使用も提供する。
【００３２】
本発明のもう１つの態様において、センサカートリッジを製造する方法が提供され、この方法は、
−試料流体を受け入れるための反応室を設けるステップ、
−前記反応室に少なくとも第１の領域及び第２の領域を設けるステップ、
−第１の型の標的部分を特異的に結合するための第１の型のプローブで標識された磁気又は磁化可能な物体を前記第１の領域に供給し、第２の型の標的部分を特異的に結合するための第２の型のプローブで標識された磁気又は磁化可能な物体を前記第２の領域に供給するステップ、並びに
−前記磁気又は磁化可能な物体の存在を検知するための少なくとも１つのセンサ要素を供給するステップ
を有する。
【００３３】
本発明の実施例による方法の利点は、試料流体に存在している異なる標的部分は、センサ信号を妨害する交差反応から生じる信号を無しに、同時に検出されることができることである。
【００３４】
本発明の実施例によれば、前記方法はさらに、反応室にある前記少なくとも第１及び第２の領域から標識された磁気又は磁化可能な物体を選択的に解放するための制御手段を設けるステップを有する。本発明の実施例によれば、制御手段を設けるステップは、前記少なくとも第１及び第２の領域の各々に制御手段を設けるステップを有する。前記制御手段を慎重に操縦することにより、前記磁気又は磁化可能な物体は、前記第１及び第２の領域から制御可能に且つ選択的に解放され、従って交差反応が起こる可能性は減少する。
【００３５】
本発明の実施例によれば、前記センサカートリッジは、平面に横たわっている少なくとも第１及び第２のセンサ要素を有し、前記反応室に少なくとも第１の領域及び第２の領域を設けるステップは、前記第１及び第２の領域が、前記第１及び第２のセンサ要素夫々との重複を示すことであり、前記重複は、センサ要素の平面に略垂直な方向に前記第１及び第２の領域を前記センサ要素へ投影することにより規定される。
【００３６】
本発明の実施例によれば、磁気又は磁化可能な物体を供給するステップは、凍結乾燥された磁気又は磁化可能な物体を供給することにより行われる。
【００３７】
本発明のさらに他の態様において、試料流体における少なくとも２つの異なる標的部分の存在及び／又は量を決定するための方法が提供される。この方法は、
−試料流体を受け入れるための反応室、磁気又は磁化可能な物体の存在を検知するために、センサ基板に置かれる少なくとも１つのセンサ要素、並びに前記反応室に置かれる少なくとも第１及び第２の領域を有するセンサカートリッジに、少なくとも２つの異なる標的部分を潜在的に有する試料流体を供給するステップであり、前記第２の領域は前記第１の領域とは別個であり、前記第１の領域は、第１の型の標的部分を特異的に結合するための第１の型のプローブで標識された磁気又は磁化可能な物体を有し、前記第２の領域は、第２の型の標的部分を特異的に結合するための第２の型のプローブで標識された磁気又は磁化可能な物体を有し、前記第１及び第２の領域にある前記磁気又は磁化可能な物体は、前記試料流体により直接接触することが可能であるステップ、
−標識された磁気又は磁化可能な物体を前記少なくとも第１及び第２の領域から前記少なくとも１つのセンサ要素に選択的に供給するステップ、
−前記少なくとも１つのセンサ要素を用いてセンサ信号を測定するステップ、並びに
−前記測定されたセンサ信号から、前記センサ基板の表面に結合された少なくとも２つの異なる標的部分の存在及び／又は量を区別して決定するステップ、
を有する。
【００３８】
標識された磁気又は磁化可能な物体を前記少なくとも第１及び第２の領域から前記少なくとも１つのセンサ要素へ選択的に供給することは、標識された磁気又は磁化可能な物体を前記反応室にある少なくとも第１及び第２の領域から選択的に解放することにより得られる。
【００３９】
本発明の実施例によれば、前記センサカートリッジは、このカートリッジがセンサ要素を有するのと同じ数の領域を有し、前記センサ要素は平面に横たわっている。これら実施例によれば、標識された磁気又は磁化可能な物体を前記少なくとも第１及び第２の領域から前記センサ要素へ選択的に供給することは、異なるセンサ要素と重複している各領域により得られ、この重複は、センサ要素の平面に略垂直な方向に前記第１及び第２の領域を前記センサ要素へ投影することにより規定される。
【００４０】
本発明の実施例によれば、前記センサカートリッジは、磁気センサ要素を有し、前記方法はさらに、前記少なくとも１つのセンサ要素を用いてセンサ信号を測定する前に、前記標識された磁気又は磁化可能な物体を磁化するステップを有する。
【００４１】
さらに他の態様において、本発明は分子診断、生体試料分析又は化学試料分析における本発明の実施例に従う方法の使用を提供する。
【００４２】
本発明の上記及び他の特徴、特性及び利点は、本発明の原理を例として説明している付随する図面と共に用いて以下の詳細な説明から明らかとなる。この説明は単なる例を目的として与えられ、本発明の範囲を限定するものではない。以下に引用される参考図は添付の図面を言及している。
【図面の簡単な説明】
【００４３】
【図１】本発明の実施例によるセンサカートリッジの断面図。
【図２】本発明のもう１つの実施例によるセンサカートリッジの断面図。
【図３】本発明の実施例によるセンサカートリッジの原理を説明する断面図。
【図４】本発明の実施例によるセンサカートリッジの原理を説明する上面図。
【図５】本発明の実施例によるセンサカートリッジの説明図。
【図６】右側はセンサカートリッジであり、中央は４つのＧＭＲ要素を有するセンサ基板であり、１つのＧＭＲ要素を有するセンサ基板の一部である。
【図７】本発明の実施例によるセンサカートリッジの説明図。
【図８】磁気保有場を持っている及び持っていない異なる時間のビーズの再分散の画像。
【図９】既知の磁気バイオセンサの原理を説明する。
【発明を実施するための形態】
【００４４】
本発明は、特定の実施例に関して説明されると共に、ある決まった図面を参照して説明されるが、本発明がこれらに限定されるのではなく、請求項によってのみ限定される。これら請求項における如何なる参照符号も本発明の範囲を限定すると解釈されない。描かれた図面は単なる概略図であり、限定されていない。これら図面において、幾つかの要素の大きさは、説明を目的とするために誇張され、縮尺通りに描かれていない。
【００４５】
本明細書及び請求項において「有する」という用語が使用されている場合、それが他の要素又はステップを取り入れないことではない。物に言及するとき、それが複数あるような表現を用いていない場合、特段に述べていない限り、これが複数あることも含んでいる。
【００４６】
さらに、明細書及び請求項において第１、第２、第３等の用語は、同様の要素を区別するために用いられ、必ずしも配列を時間的、空間的、順位付け又は何か他の方法で説明するために用いられているのではない。そのように使用される用語は、適切な環境下において互換性があり、ここに記載される本発明の実施例は、ここに記載又は説明された以外の配列で動作することが可能であることを理解すべきである。
【００４７】
本明細書を通じて、「ある実施例」又は「１つの実施例」への言及は、本実施例に関連して記載される特定の特性、構造又は特徴が本発明の少なくとも１つの実施例に含まれていることを意味している。従って、本明細書にわたり様々な場所に「ある実施例において」又は「１つの実施例において」の表現が登場することは、必ずしも全て同じ実施例に言及していないが、言及する場合もある。その上、前記特定の特性、構造又は特徴は、この開示から当業者に明らかであるように、１つ以上の実施例において如何なる適切な方法で組み合わされてもよい。
【００４８】
同様に、本発明の例示的な実施例の記載において、本発明の様々な機能は、本開示を合理化すること及び１つ以上の様々な発明性のある態様の理解を助けることを目的に、本発明の単一の実施例、図面又は明細書に時々グループ化される。しかしながら、本開示の方法は、請求される本発明が各請求項において明白に列挙された特性よりも多くの特性を必要とする意図を示していると解釈されるべきではない。むしろ、以下の請求項が示すように、発明性のある態様は、単一の上述した実施例の全ての特性より少ないことにある。従って、詳細な説明に後続する請求項はこの詳細な説明に明らかに組み込まれ、各請求項は本発明の別々の実施例として自立している。
【００４９】
その上、ここに記載される幾つかの実施例は、幾つかの特徴を含むが、他の実施例に含まれる他の特徴は含んでいない一方、別の実施例の特性の組み合わせは本発明の範囲内にあり、当業者により理解されるように、別の実施例を形成する。例えば、後続する請求項において、請求される実施例の何れかは、何らかの組み合わせで使用されることができる。
【００５０】
ここに提供される記載において、多数の特定の詳細が述べられている。しかしながら、本発明の実施例は、これら特定の詳細を持たずに実施される。他の例では、よく知られた方法、構造及び技術は、この記述の理解を不明瞭にしないために詳細に示していない。
【００５１】
次の用語又は定義は、本発明の理解を助けるためにただ単に提供される。これら定義は、当業者により理解されるよりも狭い範囲を持つと解釈されるべきではない。
【００５２】
「プローブ」という用語は、本発明において、標的部分を特異的に結合する結合分子に関する。本発明の文脈内に想定されるプローブは、生物活性部分、例えばそれらに限定されないが、抗体全体、例えばＦａｂの断片、ｓｃＦｖ(single chain Fv)、単一変異性ドメイン、ＶＨＨ、重鎖抗体(heavy chain antibody)、ペプチド、エピトープ、細胞膜受容体若しくは如何なる型の受容体又はそれらの一部、ＳＴＥ変異体(substrate-trapping enzyme mutant)のような抗体の断片、抗原分子全体（ハプテン）若しくは抗原の断片、オリゴペプチド、オリゴヌクレオチド、ミモトープ、核酸及び／又はそれらの混合物を含み、これらは潜在的な標的部分に選択的に結合することが可能である。タンパク質又はペプチドと同様に、抗体は非タンパク性化合物に生じることができる。プローブは一般的に、結合対の部材と免疫反応性又は親和反応性の部材である。このプローブの性質は、検出されるべき標的部分の性質により決められる。通常、前記プローブは、例えばそれらに限定されないが、抗原抗体結合、相補ヌクレオチド配列、炭水化物レクチン、相補ペプチド配列、リガンド受容体、補酵素（コエンザイム）、酵素阻害酵素等のような標的部分との特異的相互作用に基づいて成長する。本発明において、プローブの機能は、標的部位の検出を可能にするためのこの標的部位との特異的相互作用である。従って、前記プローブは、例えば磁性粒子のような磁気又は磁化可能な物体に取り付けられる。このプローブは、例えば前記標的部位がタンパク質である場合、抗分析物性抗体(anti analyte antibody)とすることができる。代わりに、前記プローブは、例えば前記標的部分がヌクレオチド配列である場合、相補オリゴヌクレオチド配列とすることができる。
【００５３】
本発明の第１の態様において、試料流体における少なくとも２つの異なる標的部分の存在及び／又は量を決定するためのセンサカートリッジが提供される。このセンサカートリッジは、前記試料流体を受け入れるための反応室、並びにこの反応室内に置かれる少なくとも第１の領域及び第２の領域を有し、前記第２の領域は、前記第１の領域とは別個である。前記第１の領域は、第１の型の標的部分を特異的に結合するための第１の型のプローブで標識された磁気又は磁化可能な物体を有し、前記第２の領域は、第２の型の標的部分を特異的に結合するための第２の型のプローブで標識された磁気又は磁化可能な物体を有し、前記第１及び第２の領域にある磁気又は磁化可能な物体は、前記試料流体により時間的に同時に直接接触することが可能である。前記センサカートリッジはさらに、前記磁気又は磁化可能な物体の存在を検知するための少なくとも１つのセンサ要素を有する。本発明によれば、前記センサカートリッジは、少なくとも２つの異なる標的部分を区別して検出するのに適する。区別して検出する場合、少なくとも２つの異なる標的部分は異なる位置及び／又は異なる時間で検出されたことを意味している。本発明の実施例の何れかによるカートリッジは、交換可能又は使い捨てカートリッジでもよい。
【００５４】
本発明の実施例によるセンサカートリッジは、異なる標的部分と、結果生じるセンサ信号に悪影響を及ぼす異なる標的同族体とが殆ど交差反応せずに、同じ流体試料にある少なくとも２つの異なる標的部分の存在を検出する及び／又は量を決定することを可能にする。交差反応する場合、Ａ型の磁気又は磁化可能な物体がセンサ基板表面上に存在しているＡ型の標的同族体に特異的に結合し、Ｂ型の磁気又は磁化可能な物体が前記センサ基板表面上に存在しているＢ型の標的同族体に特異的に結合するとき、Ａ型の磁気又は磁化可能な物体がＢ型の標的同族体に結合すること及び／又はその反対に結合し、それが歪んだ結果につながる。このような交差反応は本発明に従って減少する又はさらには防がれるので、本発明の実施例によるセンサカートリッジは、信頼できると共に効果的である。
【００５５】
本発明の実施例によるセンサカートリッジは、例えば試料流体に存在している並びに磁気及び／又は磁化可能な物体で標識された標的部分を検出及び／又は定量化するための分子診断、生体試料分析又は化学試料分析に使用されることができる。前記標的部分は、分子種、細胞片、ウイルス等を含んでもよい。
【００５６】
磁気標識の検出は、それら標識の磁気特性に基づいて行われる。代わりに、前記磁気標識は他の物理特性に基づいて検出されることが可能である。本発明はさらに、磁気センサ要素として例えばＧＭＲ要素のような磁気抵抗要素に基づいて、センサカートリッジを用いて記載される。しかしながら、これは多少なりとも本発明を制限していない。本発明は、磁性粒子の何らかの性質に基づいて、センサ基板表面上又はその近傍にある例えば磁性粒子のような、磁気又は磁化可能な物体の存在を検出する又は量を決定するのに適した如何なるセンサ要素を有するセンサカートリッジに適用される。例えば、前記粒子の検出は、磁気的方法（例えば磁気抵抗センサ要素、ホールセンサ、コイル）、光学的方法（例えばイメージング蛍光、化学発光分析、吸収、散乱、表面プラズモン共鳴、ラマン、ＦＴＩＲ(frustrated total internal reflection)となるエバネセント波による）音波方法（例えば弾性表面波、バルク音響波、カンチレバー(cantilever)、水晶振動子）、電気的方法（例えば伝導、インピーダンス、電流測定、酸化還元サイクル）、機械的方法（例えば共鳴のピークの変化又は弾性表面波のダンプを介する）を用いて行われる。本発明は、磁気標識を検出する上記検出方法の何れかに限定されるのではなく、磁気標識を検出するための何か他の方法と組み合わせて用いられることができる。
【００５７】
本発明の実施例によれば、前記センサカートリッジの表面は、ある標的部分を結合するように設計される被覆により修飾されるか、又は標的同族体とも呼ばれる分子を、試験されるべき試料流体に分散しているプローブで覆われた磁気標識を結合するのに適した被覆に取り付けることにより修飾されるかである。このようにして、前記センサカートリッジの表面又は少なくともその一部は、標的部分の固定化を可能にするための特異的な結合部位を形成するために、上記結合分子を用いて活性化される。このような結合分子は、当業者には既知であり、タンパク質、抗体、核酸（例えばＤＮＡ、ＲＮＡ）、ペプチド、オリゴ若しくは多糖又は糖、小分子、ホルモン、薬物、代謝産物、細胞又は細胞片、組織、断片等を含む。このような分子は、スペーサー又はリンカー分子を用いて前記センサ基板表面に取り付けられてもよい。センサ基板表面上の結合部位は、分子を有機体（例えばウイルス若しくは細胞）又は有機体の断片（例えば組織片、細胞片、メンブレン）の形式で供給することもできる。
【００５８】
標的部分は、試料流体において検出されるべきであり、これは、元の試料とすることもでき、又はセンサ装置に挿入される前に既に処理される（例えば希釈する、消化する、分解する、生化学修飾する、濾過する、緩衝液に溶解する）こともできる。元の流体は例えば唾液、痰、血液、血漿、細胞、間質液若しくは尿のような体液又は例えば飲料流体、環境流体若しくは試料の前処理から生じる流体のような他の流体とすることができる。この流体は、例えば生検、スツール、食料、食事、環境試料からの固形の試料物質の要素を構成することができる。
【００５９】
本発明の実施例によるセンサカートリッジはその上、磁場発生器を有する。この磁場発生器は、内部又は外部磁場発生器でもよい。この後者の場合、この磁場発生器は、センサカートリッジを挿入するのに適した読み取り装置内に置かれてもよい。代わりに、磁場発生器が内部磁場発生器でもよい。この磁場発生器は、少なくとも１つの導体、例えば少なくとも２つの電線を有するか、又はアクチュエーションコイルにより形成されてもよい。磁場発生器は、例えばセンサカートリッジのセンサ基板の表面に結合されるような、センサ装置の反応室の前記第１及び第２の領域において、検出されるべき標的部分に取り付けられた、前記磁気又は磁化可能な物体を磁化するために使用される。前記磁気又は磁化可能な物体は好ましくは、磁性ナノ粒子であるが、標的部分に取り付けられる如何なる他の適切な磁化可能な物体でもよい。本発明はさらに、磁性粒子である前記磁気又は磁化可能な物体を用いて記載される。再び、これは単に説明を容易にするためだけであり、決して本発明を制限するのではない。前記磁気又は磁化可能な粒子は、例えば磁場において磁気モーメントを永久に又は一時的のどちらか一方で発生させる磁力の如何なる形式でもある、例えば磁性、反磁性、常磁性、超常磁性、強磁性のような１つ以上の磁性粒子又は磁化可能な粒子の如何なる適切な形式も含んでいる。好ましくは、これらの使用は永久磁石が用いられるときに起こり得る凝集問題を防ぐので、超常磁性粒子が使用される。適切な磁性粒子材料の例は、例えばＦｅ３Ｏ４である。この磁性粒子の大きさは、殆どの実施例において重要ではないが、好ましくはこの磁性粒子は、５ｎｍから５０００ｎｍの間、さらに好ましくは３０ｎｍから１０００ｎｍの間、最も好ましくは８０ｎｍから５００ｎｍの間の範囲に最長寸法を持つ。
【００６０】
本発明は、磁性ロッド、一連の磁性粒子又は例えば光学活性材料のような非磁性材料若しくは非磁性基質内にある磁性材料と同じく磁気を含む粒子のような複合粒子である磁気又は磁化可能な物体に該当する。
【００６１】
特別の定めのない限り、磁気又は磁化可能な粒子という用語は、プローブに共有結合されていない、粒子、分子又は物質自身を言及している。この明細書において、例えば第１、第２等の型の磁性粒子のように磁性粒子の型を参照する場合、第１、第２等の型の標的部分夫々に特異的に結合する型のプローブに結合される又は被覆される磁性粒子である。
【００６２】
図１は、本発明の第１の実施例によるセンサカートリッジ１０を説明している。このセンサカートリッジ１０は、反応室１を有する。この反応室１は、試験されるべき試料流体を受け入れるためであり、この試料流体は少なくとも２つの異なる標的部分を有する。この実施例に従って、前記反応室１は、第１の領域２及び第２の領域３を有し、この第２の領域３は、前記第１の領域２とは別個である。本発明の範囲が２つの別個の領域だけに限定されないことを述べておく。２つ以上の如何なる数の領域も本発明の範囲内である。前記第１の領域２は、第１の型の磁性粒子、すなわちこれら磁性粒子４ａを第１の型の標的部分に特異的に結合するためであり、従ってセンサ基板８の表面に存在している第１の型の標的同族体にこれら磁性粒子４ａを特異的に結合するための第１の型のプローブ（図示せず）で標識された磁性粒子４ａを有する。この第１の型のプローブで標識された前記磁性粒子４ａはさらに、前記第１の型の磁性粒子４ａと呼ばれる。第２の領域３は、第２の型の磁性粒子、すなわちこれら磁性粒子４ｂを第２の型の標的部分に特異的に結合するためであり、従って前記センサ基板８の表面に存在している第２の型の標的同族体にこれら磁性粒子４ｂを特異的に結合するための第２の型のプローブ（図示せず）で標識された磁性粒子４ｂを有する。前記第２の型のプローブで標識された磁性粒子４ｂはさらに、前記第２の型の磁性粒子４ｂと呼ばれる。
【００６３】
明細書に使用される「基板」という用語は、使用される如何なる下にある材料又は物質を含む、すなわちその上に装置、回路又はエピタキシャル層が形成される。この「基板」という用語は例えばドープされたシリコン、ガリウムヒ素（ＧａＡｓ）、ガリウムヒ素リン（ＧａＡｓＰ）、リン化インジウム（ＩｎＰ）、ゲルマニウム（Ｇｅ）又はシリコンゲルマニウム（ＳｉＧｅ）基板のような半導体基板を含む。この「基板」は、半導体基板部分に加え、例えばＳｉＯ２又はＳｉ３Ｎ４層のような絶縁層も含んでいる。従って「基板」という用語は、ガラス、プラスチック、セラミック、ＳＯＧ(silicon-on-glass)、ＳＯＳ(silicon-on-sapphire)基板も含んでいる。「基板」という用語は従って、関心のある層又は部分の下に横たわっている層に対する要素を一般的に規定するのに使用される。さらに、「基板」は、その上に層を形成する如何なる他の基部、例えばガラス又は金属層でもよい。
【００６４】
この第２の実施例に従うと共に、図１から分かるように、前記第１及び第２の領域２、３並びにこれにより前記第１及び第２の型の磁性粒子４ａ、４ｂは、前記反応室１の第１の側面に供給され、例えばＧＭＲ要素８ａのような磁気センサ要素を有する前記センサ基板８は、前記反応室１の第２の側面に設けられ、前記第１及び第２の側面は、反応室１の中心又は中心線に対し互いに略対向している。
【００６５】
第１及び第２の型の磁性粒子４ａ、４ｂは最も好ましくは、凍結乾燥された形式で供給される、すなわち真空でフリーズドライされ、さらに有機質部分、例えば基質成分(matrix component)を有してもよい。凍結乾燥された第１及び第２の型の磁性粒子４ａ、４ｂは、様々な形態及び形状を持つ。凍結乾燥又はフリーズドライは、これら第１及び第２の型の磁性粒子４ａ、４ｂの低反応性となり、従ってより長い保存寿命、すなわち向上する保管特性となる。前記第１及び第２の型の磁性粒子４ａ、４ｂは、別々の受容体に保管される又は対応するセンサカートリッジ又はその一部に保管される。例示的な形状は、球形、略球形、楕円形又は円形構造を含む。本発明によれば、前記第１及び第２の型の磁性粒子４ａ、４ｂは、液滴形状でもよい。例示的な形態は、滑らか又は粗い表面を含んでいる。前記第１及び第２の型の凍結乾燥された磁性粒子４ａ、４ｂは例えば、１０μｍから３００μｍの間に直径を持つ。これら第１及び第２の凍結乾燥された磁性粒子４ａ、４ｂの大きさの分散度は好ましくは略単分散、すなわち数パーセント以内、好ましくは５％未満、さらにより好ましくは１％未満である。前記第１及び第２の型の磁性粒子４ａ、４ｂは、単分散により形成され、略一様な形状及び大きさを持つ前記第１及び第２の型の磁性粒子４ａ、４ｂとなる。
【００６６】
本発明の実施例によれば、有機質部分、例えば基質成分は、１つ以上の糖、１つ以上のタンパク質又は１つ以上の重合体を有してもよい。任意には、前記有機質部分、例えば基質成分は、１つ以上の塩を有してもよい。上記糖は、例えばポリオール、単糖類、二糖類、オリゴ糖及び多糖類から成る族から選択されてもよい。例えば、これらは特に、スクロース、グルコース、トレハロース、メレジトース、デキストラン又はマンニトールから選択されることができる。好ましくは、前記基室成分の一部である前記１つ以上の糖は、ポリオール、二糖類及びオリゴ糖から成る族から選択される。幾つかの実施例に従って、トレハロース、マンニトール又はそれらの混合物が使用される。前記１つ以上の糖の１つの機能は、水溶性及び比較的非結晶基質成分を形成することである。非結晶基質成分は、結晶基質成分よりも早く溶解することを可能にし、従ってバイオ試薬の素早い利用可能性が好まれる又は必要とされる場合に好まれる第１及び第２の型の磁性粒子４ａ、４ｂを供給することを支援する。このような凍結乾燥された第１及び第２の型の磁性粒子４ａ、４ｂを使用する利点は、前記プローブが流体として搬送されるときに生じるよりもより早い混合が試料流体とプローブとの間に起こることである。もう１つの利点は、検定を実行するのに追加の流体は必要ないことである。これは、センサカートリッジ１０の費用及びオペレータによる処理ステップ数を減少させる。
【００６７】
上述したように、任意には、１つ以上の塩は、有機質部分、例えば基質成分の一部でもよい。これら１つ以上の塩は、例えばＫＣｌ及び／又はＮａＣｌでもよい。任意には、さらに１つ以上のタンパク質は、前記有機質部分、例えば基質成分に含まれてもよい。有機質部分、例えば基質成分の混合物に含まれるタンパク質の例は特に、ＢＳＡ(Bovin Serum Albumin)、ゼラチン及びコラーゲンを有するが、これらに限定されない。前記タンパク質は、前記プローブを安定させ、凍結乾燥された第１及び第２の型の磁性粒子４ａ、４ｂの保存寿命に良い影響をもたらす。
【００６８】
凍結乾燥された第１及び第２の型の磁性粒子４ａ、４ｂは、例えば前記凍結乾燥された第１及び第２の型の磁性粒子４ａ、４ｂ夫々の構成要素を含む溶液を凍結媒体に落とすことにより形成され、その後前記第１及び第２の型の磁性粒子４ａ、４ｂを含む得られた凍結球体を凍結乾燥する。前記凍結乾燥された第１及び第２の磁性粒子４ａ、４ｂは、何らかの適切な微細堆積技術、例えば（予め形成された凍結乾燥された球体の場合）機械的な堆積、スポッティング(spotting)、ピペット操作(pipetting)又は印刷（例えばインクジェット印刷）により前記第１及び第２の領域２、３夫々に供給される。
【００６９】
本発明の他の実施例によれば、凍結乾燥された形式の代わりに、前記第１及び第２の型の磁性粒子４ａ、４ｂは、例えばそれが多孔質層を形成するような多孔質物質に含まれてもよい。故に、前記第１の型の磁性粒子４ａを有する多孔質層は、前記第１の領域２に設けられ、前記第２の型の磁性粒子４ｂを有する多孔質層は、前記第２の領域３に設けられる。これは、前記第１又は第２の型の磁性粒子４ａ、４ｂの層を堆積させることにより得られ、この層はさらに、例えば水及び／又は塩のような前記層の乾燥中に昇華する材料、例えば炭酸アンモニウムを有する。これにより得られる多孔質層は、ナノポーラス(nano-porous)又はマイクロポーラス(micro-porous)である。多孔性は、センサ装置の使用中、前記第１及び第２の磁性粒子４ａ、４ｂを解放するための成分の溶解を生じさせるのを支援する利点がある。
【００７０】
さらに他の実施例によれば、前記第１の型の磁性粒子４ａを有する１つ以上の層及び／又は前記第２の型の磁性粒子４ｂを有する１つ以上の層は、前記第１の領域２及び前記第２の領域３の夫々において互いの上部に堆積されることができる。
【００７１】
本発明は、凍結乾燥された形式の又は多孔質層に含まれる磁性粒子４ａ、４ｂに限定されない。前記磁性粒子４ａ、４ｂは、長い保存寿命を可能にする何か他の適切な形式で存在することができる。例えば、前記粒子は簡単な乾燥した糖基質に存在することができる。
【００７２】
前記センサカートリッジ１０はさらに、反応室１に試料流体を供給するための注入口９及び試験が行われた後に前記反応室１から前記試料流体を取り除くための排出口１１を有する。この排出口１１は、前記反応室に空気が含まれるのを防ぐための通気口とすることもできる。
【００７３】
本発明によれば、前記センサカートリッジ１０は、第１及び第２の型の標的部分の存在及び／又は量を区別して決定するのに適している。本発明のこの第１の実施例によれば、前記第１及び第２の型の標的部分の存在及び／又は量の別個の決定は、前記第１の型の磁性粒子４ａ及び第２の型の磁性粒子４ｂを夫々第１の領域２及び第２の領域３から前記反応室１に選択して解放するための制御手段が存在することにより得られる。前記第１及び第２の領域２、３の各々に制御手段が設けられ、例えば電線により形成される磁場発生手段を有する。図１に説明される本発明の第１の実施例によれば、第１の型の磁性粒子４ａを保持する及び前記第１の領域２から前記反応室１へ選択的に解放するための第１の電線６ａが設けられ、並びに第２の型の磁性粒子４ｂを保持する及び前記第２の領域３から前記反応室１へ選択的に解放するための第１の電線６ｂが設けられる。
【００７４】
上記実施例によれば、２つの異なる標的部分が試料流体、例えば唾液のような体液において検出されるとき、前記第１及び第２の異なる型の磁性流体４ａ、４ｂは、センサカートリッジ１０の第１及び第２の領域２、３夫々の領域内又は領域上に存在している。前記第１及び第２の領域２、３は、反応室１の壁部内の体積でもよいし、又は反応室１の壁部上の面積でもよい。代わりに、前記領域は、センサ要素８ａ、８ｂの周りにある実際の検出領域の外側にあるセンサ表面５上の領域でもよい。体液、例えば唾液は、前記センサ基板８の表面５を介して前記反応室１に流入する。前記体液、例えば唾液が流れている時間中、制御手段、例えば電線６ａ、６ｂは、前記反応室１にある前記第１及び第２の領域２、３夫々において、前記第１及び第２の型の磁性粒子４ａ、４ｂを保持するために、これら電線６ａ、６ｂを通る電流を送ることにより駆動する。本発明の実施例に従って、前記第１及び第２の型の磁性粒子４ａ、４ｂは、凍結乾燥又はフリーズドライされた磁性粒子４ａ、４ｂとして、例えば糖基質又は（例えば液体窒素の体積内に磁性粒子溶液をインクジェット印刷することにより、磁性粒子溶液の大きなプールから小さなアリコート(aliquote)をフリーズドライすることにより生じる）アキュスフィア(accu-sphere)の形式で供給されるとき、前記体液、例えば唾液は、凍結乾燥された磁性粒子４ａ、４ｂを有する前記基質と接している場合、この基質に溶解する。しかしながら、前記第１及び第２の型の磁性粒子４ａ、４ｂは、例えば電線６ａ、６ｂにより生じる磁場のような、制御手段の制御により、第１の領域２、第２の領域３夫々にいる。体液内に存在している前記第１及び第２の型の標的部分は、前記反応室１にある第１及び第２の領域２、３夫々において前記第１及び第２の型の磁性粒子４ａ、４ｂ夫々と特異的に反応することがある。その後、前記体液の流れは止まり、前記制御手段は、例えば電線６ａ、６ｂにより生じた磁場がオフに切り替わるように、前記第１及び第２の領域２、３夫々から前記第１及び第２の型の磁性粒子４ａ、４ｂを解放するように操縦される。これは、前記第１及び第２の領域に対し同時に又は連続して行われる。前記制御手段は、例えば電線６ａ、６ｂを通る電流の流れをオフに切り替えるように、前記第１及び第２の型の磁性粒子４ａ、４ｂを解放するように操縦されるとき、前記第１及び第２の標的部分夫々に取り付けられる第１及び第２の型の磁性粒子４ａ、４ｂを、これらが前記第１及び第２の型の標的同族体夫々に結合される前記センサ基板表面５の方に引き付ける他の磁場が生じる。前記磁性粒子４ａ、４ｂを前記センサ基板表面５の方に引き付けるための磁場は、例えば図１に示されるようなアクチュエーションコイル７ａのような外部磁場発生手段により生じる。他の磁場コイル７ｂは、磁気洗浄ステップにおいて前記センサ基板表面５上で前記磁性粒子４ａ、４ｂをインキュベーションした後、Ｂ／Ｆ分離(bound-free separation)を達成するために存在している、言い換えると、特異的に結合していない磁性粒子４ａ、４ｂを前記センサ基板表面５から取り除くために存在している。アクチュエーションコイル７ａ、７ｂにより生じた磁場も前記磁性粒子４ａ、４ｂを��化する。これにより前記磁性粒子４ａ、４ｂは磁気モーメントを生じる。このとき、磁気モーメントは、ドップラー磁場を生じ、この磁場はセンサ要素、例えばセンサカートリッジ１０に組み込まれるセンサ基板８に存在しているＧＭＲ要素８ａの位置に面内磁場成分を持つ。前記磁性粒子４ａ、４ｂは、アクチュエーションコイル７ａ、７ｂを通る電流により誘導される磁場により磁化され、磁場のｘ成分Ｈｅｘｔとも呼ばれるセンサ要素、例えばＧＭＲ要素８ａの感度ｘ方向の磁場成分を生じる。この磁場のｘ成分Ｈｅｘｔは、センサ基板８に存在している前記ＧＭＲ要素８ａにより検知され、その振幅は、センサ要素８ａの位置における前記センサ基板８の表面５に存在している磁性粒子４ａ、４ｂの数に依存している。
【００７５】
もう１つの実施例によれば、前記磁性粒子４ａ、４ｂを磁化するのに必要な磁場は、センサ要素８ａの一部であるオンチップ電線、すなわちセンサ基板８上又は基板内に置かれる電線を通る電流を送ることにより生じることができる。この後者の方法の利点は、ＧＭＲセンサ要素８ａの大きい１／ｆノイズ成分を避けるために、磁場に対し高い変調周波数、すなわち約１０ｋＨｚから１００ＭＨｚの間、好ましくは約１００ｋＨｚから１０ＭＨｚの間の周波数が使用されることができる。
【００７６】
前記第１及び第２の型の磁性粒子４ａ、４ｂを前記第１及び第２の領域２、３夫々から解放することは、制御された方法で行われる。従って、前記第１及び第２の型の磁性粒子４ａ、４ｂを前記第１及び第２の領域２、３夫々から解放することは、一連の方法で行われる。これを以下に説明する。
【００７７】
本発明の実施例によれば、センサカートリッジ１０は、例えばセンサ基板８にあるＧＭＲ要素８ａのようなセンサ要素の数とは異なる数の領域２、３を反応室１に有する。これら実施例によれば、異なる型の標的同族体は、例えばＧＭＲ要素８ａのようなセンサ要素の各々の位置にあるセンサ基板８の表面５に供給される。
【００７８】
図１において、前記センサカートリッジ１０が前記第１及び第２の領域２、３並びに１つのセンサ要素、例えばＧＭＲ要素８ａを有する例が与えられる。図１に与えられる例において、これは、第１及び第２の標的部分に結合するための第１及び第２の型の磁性粒子４ａ、４ｂを有する２つの領域２、３が存在しているが、ＧＭＲ要素８ａは一つしかないので、センサ基板８に設けられる例えばＧＭＲ要素８ａのようなセンサ要素の位置にあるセンサ基板表面５に２つの異なる標的同族体が供給されることを意味している。
【００７９】
故に、最初に前記第１の型の磁性粒子４ａは、例えば電線６ａにより生じる磁場をオフに切り替えるように、前記制御手段を適切に操縦することにより前記第１の領域２から解放される。前記第１の標的部位に取り付けられた前記第１の磁性粒子４ａは、センサ基板表面５において夫々の標的同族体に結合するために、前記センサ基板表面５の方に引き付けられ、前記アクチュエーションコイル７ａ、７ｂ又は代替的にオンチップ電線により生じる磁場を用いて作動する。センサ基板表面５において、第１の標的部位に取り付けられた前記第１の磁性粒子４ａは、前記第１の標的部位に対し特異的である第１の型の標的同族体に結合される。前記センサ基板表面５に結合された第１の型の磁性粒子４ａの量を表す第１のセンサ信号が前記ＧＭＲ要素８ａにより供給される。前記第１の型の磁性粒子４ａは、アクチュエーションコイル７ａにより生じる磁場をオフに切り替えること及び／又はアクチュエーションコイル７ｂをオンに切り替えることにより洗浄ステップを実行することにより、前記センサ基板表面５から取り除かれる。
【００８０】
次のステップにおいて、前記制御手段は、前記第２の型の標的部分に取り付けられた前記第２の型の磁性粒子４ｂを選択的に解放するために、例えば電線６ｂを通る電流の流れをオフに切り替えるように適切に操縦される。前記第２の型の磁性粒子４ｂを前記センサ基板表面５の方に引き付けるための磁場を生じさせるアクチュエーションコイル７ａがオンになり、これにより前記センサ基板表面５に存在している前記第２の型の標的同族体にこれら粒子を結合することを可能にする。前記ＧＭＲ要素８ａの第２の信号は、前記センサ基板表面５に結合される第２の型の磁性粒子４ｂの量を表す。
【００８１】
他の実施例によれば、前記制御手段は、例えば第２の電線６ｂを通る電流の流れがオフに切り替わるように適切に操縦され、前記第２の型の磁性粒子４ｂが前記第２の型の標的同族体に結合するために前記第２のセンサ基板表面５に引き付けられる一方、前記第１の磁性粒子４ａは依然として前記センサ基板表面５に結合されている。標的同族体は一般に標的部分の予測される濃度に対し過剰に供給されるので、前記第１の型の磁性粒子４ａの幾つかが誤って前記第２の型の標的同族体に結合されたとしても、前記第２の標的部分を結合するのに十分な標的同族体が常に残っている。前記第２の型の磁性粒子４ｂを前記センサ基板表面５に結合することが前記センサ信号を変化させる。前記第２の型の磁性粒子４ｂが前記センサ基板表面５に結合している間、第１の標的同族体の全てが前記第１の磁性粒子４ａに取られない場合、前記センサ基板表面５に存在している前記第１の標的同族体との交差反応が生じてもよい。前記センサ信号の変化の値は、前記センサ基板表面５に結合される第２の型の磁性粒子の量に対する測定値である。
【００８２】
しかしながら、本発明の実施例によれば、前記センサカートリッジ１０は、反応室１がＧＭＲ要素８ａ、８ｂ、…を有するので、前記反応室１に同数の領域２、３を有する。例えば、第１及び第２の領域２、３が第１及び第２の型の磁性粒子４ａ、４ｂ夫々を有する反応室１に設けられるとき、これら実施例に従って、第１及び第２のＧＭＲ要素８ａ及び８ｂは、前記センサ基板８に供給される（図２参照）。前記センサ基板表面５は、第１のＧＭＲ要素の位置において第１の型の標的部分を特異的に結合するための第１の型の標的同族体を有すると共に、第２のＧＭＲ要素の位置において第２の型の標的部分を特異的に結合するための第２の型の標的同族体を有する。これら実施例によれば、前記制御手段は、前記第１の型の磁性粒子４ａを前記反応室１内に選択的に解放するために、例えば電線６ａを通る電流の流れが最初にオフに切り替わるように、適切に操縦される。前記アクチュエーションコイル７ａがオンに切り替わるとき、前記第１の型の標的部分に取り付けられた前記第１の型の磁性粒子４ａは、前記センサ基板表面５の方に引き付けられ、前記第１の型の磁性粒子４ａを前記第１の型の標的同族体に結合することを可能にする。前記磁性粒子４ａもこの磁場により磁化され、第１のＧＭＲ要素８ａは、この第１のＧＭＲ要素８ａの位置において前記センサ基板表面５に結合される第１の磁性粒子４ａの量を表すセンサ信号を供給する。しかしながら同時に、第２のＧＭＲ要素８ｂがこの第２のＧＭＲ要素８ｂの位置において前記センサ基板表面５に存在している前記第２の標的同族体に誤って又は交差反応して結合される前記第１の磁性粒子４ａの量を表すセンサ信号も供給する。この信号はさらに、第２のＧＭＲ要素８ｂの部分信号とも呼ばれる。次いで、前記制御手段は、前記第２の磁性粒子４ｂを前記第２の領域３から反応室１内へ選択的に解放するために、例えば電線６ｂを通る電流の流れをオフに切り替えるように、適切に操縦される。アクチュエーションコイル７ａをオンに切り替えた後、前記第２の型の標的部分に取り付けられた前記第２の型の磁性粒子４ｂは、これら粒子が第２のＧＭＲ要素８ｂの位置において第２の型の標的同族体に結合することができる前記センサ基板表面５の方に引き付けられる。前記第２のＧＭＲ要素のセンサ信号は、前記センサ基板表面５に結合される前記第２の型の磁性粒子４ｂの量に依存して変化する。このセンサ信号は、第２のＧＭＲ要素８ｂの全体信号と呼ばれる。前記第２のＧＭＲ要素８ｂの全体信号と前記第２のＧＭＲ要素８ｂの部分信号との間の差は、前記センサ基板表面５に結合される第２の型の磁性粒子４ｂの量に対する測定値である。
【００８３】
これら実施例によれば、交差反応の発生が（一連の方法で）測定され、適切なアルゴリズムの使用を補償することができる。
【００８４】
上述した実施例によれば、第１及び第２の領域２、３を有する前記センサカートリッジ１０は単なる例であり、本発明を決して制限するとは意味していないと理解されるべきである。本発明の実施例によるセンサカートリッジ１０の反応室１は、何らかの適切な数の領域２、３を有する。前記反応室１内に存在している領域の数は、試料流体に存在している異なる型の標的部分の数に等しい。
【００８５】
その上、前記センサカートリッジ１０は、如何なる数のセンサ要素、例えばＧＭＲ要素８ａ、８ｂを有してもよい。好ましくは、既に説明したように、センサ（例えばＧＭＲ）要素８ａ、８ｂの数は、反応室１にある領域２、３の数に等しく、従って試料流体に存在している異なる型の標的部分の数に等しい。その上、前記センサカートリッジ１０は、２つ以上の制御手段を有し、反応室１に設けられる複数の領域２、３の各々に対し１つである。
【００８６】
本発明の第２の実施例によれば、前記センサカートリッジ１０は、この実施例に従って、センサカートリッジ１０自身の構成により、交差反応の可能性が減少する及び／又は最小にされるので、交差反応による歪みを殆ど受けない結果生じる信号を示す。この実施例によれば、前記センサカートリッジ１０は、反応室１がＧＭＲ要素８ａ、８ｂ、…を有するので、前記反応室１に存在している同数の領域２、３を有する。この第２の実施例によれば、前記第１及び第２の型の標的部分の存在及び／又は量の別個の決定は、前記異なる型の標的部分を特異的に結合するために、異なる型の磁性粒子４ａ、４ｂを有する異なる領域２、３が前記異なる型の標的部分を特異的に結合するために、異なる型の標的同族体を有する対応するＧＭＲ要素８ａ、８ｂの略上に置かれるという事実により得られる。「略上」は前記異なる領域２、３が対応するＧＭＲ要素８ａ、８ｂとの重複Ｏを示すことを意味している場合、この重複Ｏは、ＧＭＲ要素８ａ、８ｂが平面に横たわっている場合、これらＧＭＲ要素８ａ、８ｂの前記平面に略垂直な方向に前記領域２、３を関連するＧＭＲ要素８ａ、８ｂへ投影することにより規定される。好ましくは、領域２、３と前記対応するＧＭＲ要素８ａ、８ｂとの間の重複Ｏは、例えば前記領域２、３の少なくとも８０％、好ましくは少なくとも９０％、もっと好ましくは９５％及び最も好ましくは１００％が前記対応するＧＭＲ要素８ａ、８ｂと重複することである。前記第２の実施例の原理は、本発明のこの実施例に従って前記センサカートリッジ１０の断面図及び平面図を夫々示す図３及び図４に説明される。図４の右側にある小さな正方形１５は、前記センサ基板８を（携帯型の）読み取り装置に結合するための電気接点を示す。
【００８７】
再び、この第２の実施例及び第１の実施例の類似例において、異なる種類の磁性粒子４ａ、４ｂは、ＧＭＲ要素８ａ、８ｂが置かれる反応室１の側面とは略反対側の前記反応室１の側面に供給される。その上、この第２の実施例によれば、前記異なる型の磁性粒子４ａ、４ｂは、第１の実施例に類似して、最も好ましくは凍結乾燥された形式で供給される。他の実施例によれば、前記異なる型の磁性粒子４ａ、４ｂは、１つの多孔質層又は複数の多孔質層に供給される。
【００８８】
センサカートリッジ１０はさらに、反応室１に試料流体を供給するための注入口９及び試験が行われた後に前記反応室１から前記試料流体を取り除くためであり、又は前記センサカートリッジ１０が前記試料流体で満たされているとき空気を解放するための排出口を有する。
【００８９】
（本実施例には図示されないが、図１及び図２に説明される実施例に類似している）底部コイル７ａが作動する際、前記異なる型の磁性粒子４ａ、４ｂは、夫々の領域２、３から解放され、前記センサ基板表面５の方に向けられる。前記センサ基板表面５は、前記第１のＧＭＲ要素８ａにおいて第１の型の標的同族体を有し、前記第２のＧＭＲ要素８ｂにおいて第２の型の標的同族体を有する…等である。他の磁気コイル７ｂは、図１及び図２に示される実施例と類似して、磁気洗浄ステップにおいて、前記センサ基板表面５上において前記磁性粒子４ａ、４ｂをインキュベーションした後、Ｂ／Ｆ分離を達成するために、言い換えると、特異的に結合していない磁性粒子４ａ、４ｂを前記センサ基板表面から取り除くために、前記センサカートリッジ１０の上面に存在している。
【００９０】
この第２の実施例によれば、対応するセンサ要素８ａ、８ｂ…から離れて拡散する磁性粒子４ａ、４ｂの数は少ないので、交差反応は減少する。磁性粒子４ａ、４ｂがある時間に航行する平均的な拡散の長さ又は距離ｘは以下のように与えられる。
【数１】
2010540888.tif 000003
【００９１】
例えば３００ｎｍの直径を持つ磁性粒子は、ブラウン運動により平均で１０．５μｍ航行する。
【００９２】
従って、好ましくは、隣接する領域２、３の間の距離は、前記第１の型の磁性粒子４ａが前記第２のＧＭＲ要素８ａ（又はその逆）に結合するのを避けるために、１ｍＰａの範囲に粘性を持つ試料において３００ｎｍの直径又は大きさを持つ粒子に対し、１０μｍから１０００μｍの間、より好ましくは５０μｍから５００μｍの間、最も好ましくは１００μｍから２５０μｍの間である。前記拡散の長さは、粒子の大きさ及さ試料流体の粘性に依存していることに注意すべきである。例えば、３００ｎｍよりも大きな磁性粒子４ａ、４ｂが使用されるとき、前記拡散の長さは上に計算されるように、１０．５μｍよりも小さくなる。
【００９３】
前記第２の実施例によれば、領域２、３の各々に制御手段を設けることにより、前記交差反応はさらに減少する。第１の実施例において説明したように、前記制御手段は、例えば電線のような磁場発生手段でもよい。これは、本発明の第２の実施例に従うセンサカートリッジ１０の平面図を説明している図５に描かれている。図５に与えられる例によれば、前記センサカートリッジ１０は、４つの領域２、３、１２、３１を有し、これら領域２、３、１２、１３が対応するセンサ要素、例えば上述したようなＧＭＲ領域８ａ−ｄの略上に置かれるように、４つのセンサ要素、例えばＧＭＲ要素８ａ−ｄを有する。この例によるセンサカートリッジ１０はさらに、４つの制御手段、説明される例において電線６ａ−ｄを有し、前記領域２、３、１２、１３の各々に対し１つの電線、６ａ、６ｂ、６ｃ又は６ｄを有する。前記電線６ａ−ｄは、前記反応室１のセンサ側とは反対側、言い換えるとセンサ要素８ａ−ｄが置かれる反応室１の側面とは反対側にある前記反応室１の上蓋に置かれることができる。これら電線６ａ−ｄは、センサ要素、例えばＧＭＲ要素８ａ−ｄに揃えられている。前記異なる型の磁性粒子４ａ、４ｂは、第１の実施例において既に論じ、この実施例の前に既に述べられたように、前記センサ要素、例えばＧＭＲ要素８ａ−ｄが供給される反応室１の側面とは反対側の前記反応室１の側面にある領域２、３、１２、１３に供給される。
【００９４】
第１から第４の領域２、３、１２、１３に対応する電線６ａ−ｄの局所的な磁場勾配による力は、そうしなければ、ある領域（例えば領域２）から磁性粒子４ａ、４ｂを解放し、これら粒子を前記センサ基板表面５の方に引き付けるとき、幾つかの領域（例えば領域３、１２、１３）にある磁性粒子４ａ、４ｂの保持ができないので、前記底部から印加される作動場(actuation field)による力よりも強くなければならない。
【００９５】
図６は、センサカートリッジ１０（右図）、４つのＧＭＲ要素８ａ−ｄ及び４つの電線１６ａ−ｄを有するセンサ基板８（中央図）、並びに１つのＧＭＲ要素８ａ及び１つの電線６ａを有するセンサ基板８の一部を説明している。これら電線１６ａ−ｄは、検出するために前記磁性粒子４ａ、４ｂを磁化するのに使用されることに注意されたい。この設計において、前記電線１６ａ−ｄは、磁性粒子４ａ、４ｂの制御された解放を目的とするのものではない。一般的に、磁性粒子保持線６ａ−ｄは前記反応室１の他方の側面に置かれる。しかしながら、前記センサ基板８は、磁性粒子の保持及び制御される解放を実施する追加の線６ａ−ｄを有してもよい。１つの可能な実施例において、これら線６ａ−ｄは、検出に必要とされる励起線１６ａ−ｄとは別でもよい。他の実施例において、これら線６ａ−ｄは、線１６ａ−ｄと同じでもよい。
【００９６】
別の実施例によれば、試料流体の流れは、前記電線６ａ−ｄ及びＧＭＲ要素８ａ−ｄに平行であるか、又は電線６ａ−ｄ及びＧＭＲ要素８ａ−ｄに垂直であるかのどちらか一方にすることができる。ある実施例よれば、前記流体の流れは、前記センサ要素８ａ−ｄ及び電線６ａ−ｄに揃えられてもよい。この実施例によれば、電線６ａ−ｄと揃えられたサブチャンネル構造が示されてもよい。異なる型の磁性粒子４ａ、４ｂの各々は、流体容器１に存在している前記サブチャンネルの１つに位置決められることができる。
【００９７】
上述した実施例において、夫々の領域２、３、１２、１３から前記異なる型の磁性粒子４ａ、４ｂを選択的に解放するための電線６ａ−ｄは、前記センサカートリッジ１０の使い捨て部分の内側に置かれる。これは欠点である。従って、本発明の実施例に従って、夫々の領域２、３、１２、１３から異なる型の磁性粒子４ａ、４ｂを夫々選択的に解放するための磁場発生手段（例えば電線６ａ−ｄ）も使い捨てではない読み取り装置に置かれる。
【００９８】
他の実施例によれば、代替的に前記領域２、３、１２、１３は、前記センサ要素８ａ−ｄの周りにある実際の検出領域の外側にある前記センサ基板表面５上に置かれる領域２、３、１２、１３であることにも注意すべきである。故に、これら実施例によれば、前記領域２、３、１２、１３は、例えばＧＭＲ要素８ａ−ｄのようなセンサ要素が置かれる場所として、前記反応室１の同じ側面に置かれてもよい。これら実施例による前記センサカートリッジ１０は、異なる型の磁性粒子４ａ、４ｂを前記領域２、３、１２、１３から解放するための制御手段を有し、前記異なる型の磁性粒子４ａ、４ｂの解放は、前記第１及び第２の実施例に対し述べたように、前記磁性粒子４ａ、４ｂの解放と類似している。
【００９９】
本発明の第３の実施例によれば、前記制御手段又は磁場発生手段、例えば電線は、例えばＧＭＲ要素８ａ−ｄのようなセンサ要素が置かれ、ＧＭＲセンサダイス(GMR sensor die)８とも呼ばれる、センサ基板８に組み込まれる。この実施例によれば、異なる型の磁性粒子４ａ、４ｂ、４ｃ、４ｄは、例えばインクジェット印刷を用いてセンサ要素、例えばＧＭＲ要素８ａ−ｄに又は要素の隣に局所的に印加されてもよい。これは図７に説明されている。故に、第１の型の磁性粒子４ａは、ＧＭＲ要素８ａのような第１のセンサ要素の位置に又はその位置の隣においてセンサ基板表面５に供給され、第２の型の磁性粒子４ｂは、ＧＭＲ要素８ｂのような第２のセンサ要素の位置に又はその位置の隣においてセンサ基板表面５に供給され、第３の型の磁性粒子４ｃは、ＧＭＲ要素８ｃのような第３のセンサ要素の位置に又はその位置の隣においてセンサ基板表面５に供給され、第４の型の磁性粒子４ｄは、ＧＭＲ要素８ｄのような第４のセンサ要素の位置に又はその位置の隣においてセンサ基板表面５に供給される等である。故に、この第３の実施例によれば、前記第１、第２、…の領域２、３、１２、１３は、前記ＧＭＲ要素８ａ−ｄが置かれる場所として前記反応室１の同じ側面に置かれる。
【０１００】
この第３の実施例よれば、第１、第２、…の型の標的部分の存在及び／又は量の別個の決定は、第１の型の磁性粒子４ａ、第２の型の磁性粒子４ｂ、…を第１の領域２、第２の領域、…の夫々から反応室１へ選択的に解放するための制御手段が存在することで得られる。これは、異なる型の磁性粒子４ａ、４ｂ、４ｃ、４ｄを夫々の領域２、３、１２、１３から選択的に解放するための制御手段、例えば電線のような磁場発生手段により得られる。前記磁性粒子４ａ、４ｂ、４ｃ、４ｄの選択的の解放に必要とされる電線６ａ−ｄは、前記印刷処理中に作動するためにも必要とされる。このようにして、磁性粒子４ａ、４ｂ、４ｃ、４ｄは、前記電線６ａ−ｄが前記磁性流体４ａ、４ｂ、４ｃ、４ｄの印加中に活性化されるとき、正しい位置に搬送されることができる。磁性粒子４ａ、４ｂ、４ｃ、４ｄの解放と後続するセンサ基板表面５への引き付けとの間の時間は、０秒から６００秒の範囲にすることができ、好ましくは１秒から５０秒の間である。
【０１０１】
この実施例の利点は、前記電線６ａ−ｄが例えばＧＭＲセンサダイス８のような前記センサダイスに組み込まれるので本発明が容易に実施されることが可能なことである。しかしながら、この方法の欠点は、磁性粒子４ａ、４ｂ、４ｃ、４ｄは、全試料流体と接触しないことである。これにより、標識抗体を用いて前記試料から、薬物検出の場合に試験の再現性が必要であると示される、前記標的部分の事前のインキュベーションは、効果が小さい。
【０１０２】
センサカートリッジ１０及び本発明の実施例による方法は、生物学的検定に有利に使用される。生物学的検定において磁気標識の使用は、多くの理由により好都合である。
【０１０３】
磁性粒子４ａ、４ｂは、試料流体において乾燥状態で再分散されることができる。例えば、再分散は、磁性粒子４ａ、４ｂを磁気的に撹拌することにより生じることができる。試料体積の至る所での前記磁性粒子４ａ、４ｂの再分散は、拡散距離が小さいまま保たれるので、生体反応の速度を上げる。
【０１０４】
標的分子に結合される磁性粒子４ａ、４ｂは、前記センサ表面５に引き付けられ、これにより、前記センサ表面５における標的の濃度を増大させる。再び、磁性粒子４ａ、４ｂは、生体結合を生じさせるために、磁場を用いて撹拌されることができる。
【０１０５】
前記センサ表面５に特異的に結合しなかった磁性粒子４ａ、４ｂは、例えば磁場によってこれら磁性粒子を前記センサ表面５から離れるように引き寄せることにより、洗い落とされる。磁気的に引き寄せることは、検定結果に関し低いばらつきとなるように、正確に制御されることができる。その上、複雑な流体洗浄ステップの必要を取り除く。
【０１０６】
図８において、異なる時点の磁性粒子の再分散の画像が示される。左側にある画像は、磁気保有場を印加せずに磁性粒子が流体と接触したときの磁性粒子の再分散を示す。中央及び右側にある画像は、本発明の実施例に従って保有場の存在下で磁性粒子が再分散している間の画像を示す。これら図面は、保有場を印加することなく、磁性粒子４ａ−ｄが素早く、すなわち１５秒以内に再分散する一方、保有場を印加する場合、前記磁性粒子４ａ−ｄは、長時間、すなわち少なくとも２７秒までこれら磁性粒子の初期の位置に保たれる。ある（右側にある第１の、ｔ＝２６秒の）画像は拡大図であり、この図から磁性粒子は、印加された保有場の磁力線に沿って鎖を形成していることが観察される。この図にあるこれら画像は、本発明の考えを適用することにより、乾燥状態で磁性粒子４ａ−ｄの再分散を制御する可能性を証明している。
【０１０７】
本発明の実施例による試料流体に存在している第１及び第２の標的部分の区別した検出は、
−反応室１に試料流体を供給するステップ、
−第１の型の磁性粒子４ａを第１の領域２から反応室１に解放するステップ、
−一般に１０秒から６００秒までを範囲とするある時間、任意にインキュベーションを行い、前記第１の標的部分が前記第１の型の磁性粒子４ａの抗体に結合することができるステップ、
−前記第１の型の標的部分に取り付けられた前記第１の型の磁性粒子４ａをセンサ基板表面５の方に引き付けるための磁場勾配を印加するステップ、
−ある時間インキュベーションを行い、前記標的部分を所持しない磁性粒子４ａは、前記センサ基板表面５上にある第１の型の標的同族体に結合することが可能であるステップ、
−適切な作動場を印加することにより結合されていない磁性粒子を取り除くステップ、
−前記センサ基板表面５に結合された前記第１の型の磁性粒子４ａの量を表すセンサ信号を測定するステップ、
−前記試料流体に存在している第１の標的部分の存在及び／又は濃度を前記センサ信号から決定するステップ、
−前記結合した第１の型の磁性粒子４ａを任意に洗い落とすステップ、
−第２の型の磁性粒子４ｂを第２の領域３から前記反応室１に解放するステップ、
−ある時間、任意にインキュベーションを行い、前記標的部分が前記第２の型の磁性粒子４ｂにある抗体に結合することができるステップ、
−前記第２の型の標的部分に結合されている前記第２の型の磁性粒子４ｂを前記センサ基板表面５の方に引き付けるための磁場勾配を印加するステップ、
−ある時間、任意にインキュベーションを行い、前記第２の型の磁性粒子４ｂが前記センサ基板表面５にある前記第２の標的同族体に結合することができるステップ、
−結合されていない磁性粒子４ｂを洗い落とすステップ、
−前記センサ基板表面５に結合した前記第２の型の磁性粒子４ｂの量を表すセンサ信号を測定するステップ、並びに
−前記試料流体に存在している前記第２の標的部分の存在及び／又は濃度を前記センサ信号から決定するステップ
により実行される。
【０１０８】
本発明の実施例によれば、分子検定に加え、より大きな部分、例えば細胞、ウイルス又は細胞若しくはウイルスの断片、組織抽出等も検出されることができる。前記センサ基板表面５に関して、前記センサ要素８ａ−ｄの走査の有無にかかわらず検出が起こり得る。
【０１０９】
測定データは、信号を動力学的又は間欠的に記録するのと同様に、終点測定として得られることができる。
【０１１０】
本発明の実施例によるセンサカートリッジ１０は、幾つかの生化学検定型、例えば結合／分離検定、サンドイッチ検定、競合検定、置換検定、酵素的検定等と共に用いられることができる。
【０１１１】
本発明の実施例によるセンサカートリッジ１０は、センサ多重化（すなわち異なるセンサ及びセンサ表面の併用）、標識多重化（異なる型の標識又は磁気若しくは磁化可能な物体４ａ、４ｂの併用）並びに反応室多重化（異なる反応室の併用）に適している。
【０１１２】
本発明の実施例によるセンサカートリッジ１０は、小さな試料体積に対し、素早い、ロバストな及び使いやすいＰｏＣ(point-of-care)バイオセンサとして用いられることができる。前記反応室は、１つ以上の磁場発生手段及び１つ以上の検出手段を含んでいるコンパクトな読み取り器と共に用いられる使い捨てアイテムとすることができる。さらに、本発明の実施例によるセンサカートリッジ１０は、自動化されたハイスループット試験にも使用されることができる。この場合、例えば前記反応室は、自動化された機器に勘合するウェルプレート又はキュベットでもよい。
【０１１３】
本発明の実施例によるセンサカートリッジ１０が使用される特定の例は、唾液にある乱用薬物を検出するためである。例えば、前記センサカートリッジ１０は、（呼吸法試験に類似している）トラフィックに使用され、例えば１分以内に注目すべき唾液試料に５つまでの薬物の存在を検証することが可能でなければならない。この目的のために、前記テストは、信頼性があり、使いやすくあるべきことは明らかである。
【０１１４】
材料と同じく、好ましい実施例、特異的な構成及び構造が本発明による装置に対し論じられたとしても、形状及び細部における様々な変更又は修正が本発明の範囲及び意図から外れることなく行われてもよいと理解すべきである。
【図１】
2010540888.tif 000004
【図２】
2010540888.tif 000005
【図３】
2010540888.tif 000006
【図４】
2010540888.tif 000007
【図５】
2010540888.tif 000008
【図６】
2010540888.tif 000009
【図７】
2010540888.tif 000010
【図８】
2010540888.tif 000011
【図９】
2010540888.tif 000012
【国際調査報告】
2010540888.tif 000013
2010540888.tif 000014
2010540888.tif 000015